(57)【要約】      （修正有）【課題】各々の操作部に対応する識別情報に誤りが生じた場合であっても、各々の加熱調理器が誤って動作してしまうことを抑制することができる加熱調理装置及びその制御方法を提供する。【解決手段】加熱調理装置は、第１加熱調理器１と、第２加熱調理器２と、第１操作部４と、第２操作部５と、接続制御部７１とを備える。第１操作部は、第１加熱調理器に対応している。第１操作部は、第１通信制御部４１を有する。第２操作部は、第２加熱調理器に対応している。第２操作部は、第２通信制御部５１を有する。接続制御部は、第１通信制御部及び第２通信制御部との通信を行う。接続制御部から第１通信制御部の応答を促す第１応答要求信号が送信され、第１応答要求信号に応答して第１通信制御部及び第２通信制御部の各々から第１返答信号が送信された場合に、第１通信制御部は、第２通信制御部の動作を制限する。【選択図】図２
2019056540.tif 000002
【特許請求の範囲】
【請求項１】
第１加熱調理器と、
第２加熱調理器と、
前記第１加熱調理器に対応し、かつ第１通信制御部を有する第１操作部と、
前記第２加熱調理器に対応し、かつ第２通信制御部を有する第２操作部と、
前記第１通信制御部及び前記第２通信制御部との通信を行う接続制御部とを備え、
前記接続制御部から前記第１通信制御部の応答を促す第１応答要求信号が送信され、前記第１応答要求信号に応答して前記第１通信制御部及び前記第２通信制御部の各々から第１返答信号が送信された場合に、前記第１通信制御部は、前記第２通信制御部の動作を制限する、加熱調理装置。
【請求項２】
前記第１通信制御部は、前記第１応答要求信号の後に前記接続制御部から送信され、かつ前記第１通信制御部の応答を促す第２応答要求信号に応答して前記第２通信制御部から送信される第２返答信号を無効にする信号を送信することにより、前記第２通信制御部の動作を制限する、請求項１に記載の加熱調理装置。
【請求項３】
前記第２通信制御部からの前記第１返答信号は、制御ビット列と、前記制御ビット列の誤り検出を行うためのチェックビット列とを含み、
前記第１通信制御部は、前記チェックビット列を無効にするビット列を送信することにより、第２通信制御部の動作を制限する、請求項１に記載の加熱調理装置。
【請求項４】
前記第１通信制御部は、
前記第２通信制御部からの前記第１返答信号が前記第１加熱調理器の動作を停止する又は前記第１加熱調理器の出力を減少させる信号であるときには、前記第２通信制御部の動作を許容し、
前記第２通信制御部からの前記第１返答信号が前記第１加熱調理器の動作を開始する又は前記第２加熱調理器の出力を増加させる信号であるときは、前記第２通信制御部の動作を制限する、請求項１に記載の加熱調理装置。
【請求項５】
第１加熱調理器と、第２加熱調理器と、前記第１加熱調理器に対応し、かつ第１通信制御部を有する第１操作部と、前記第２加熱調理器に対応し、かつ第２通信制御部を有する第２操作部と、前記第１通信制御部及び前記第２通信制御部との通信を行う接続制御部とを備える加熱調理装置の制御方法であって、
前記接続制御部から前記第１通信制御部の応答を促す第１応答要求信号を送信する工程と、
前記第１応答要求信号に応答して前記第１通信制御部及び前記第２通信制御部から第１返答信号が送信されるかを検知する工程と、
前記第２通信制御部からの前記第１返答信号の送信が検知された場合、前記第１通信制御部が前記第２通信制御部の動作を制限する工程とを備える、加熱調理装置の制御方法。
【発明の詳細な説明】
【技術分野】
【０００１】
本発明は、加熱調理装置及び加熱調理装置の制御方法に関する。
【背景技術】
【０００２】
従来から、例えば特開２０１２−１１２５７６号公報（特許文献１）に記載の加熱調理装置が知られている。特許文献１に記載の加熱調理装置は、第１加熱調理器と、第２加熱調理器と、第１操作基板と、第２操作基板と、バーナコントローラ基板とを有している。
【０００３】
バーナコントローラ基板は、接続制御部を有している。第１操作基板は、第１通信制御部を有している。第２操作基板は、第２通信制御部を有している。第１操作基板と第１加熱調理器とを対応させるため、第１通信制御部は、第１加熱調理器に対応する第１識別情報を保持している。第２操作基板と第２加熱調理器とを対応させるため、第２通信制御部は、第２加熱調理器に対応する第２識別情報を保持している。接続制御部と、第１通信制御部と、第２通信制御部とは、通信バスを介して相互に接続されている。
【０００４】
接続制御部は、例えばボーリング方式により、第１通信制御部及び第２通信制御部と通信を行う。具体的には、接続制御部は、第１に、第１通信制御部からの応答を促すため、第１識別情報を含む応答要求信号を、通信バスを介して第１通信制御部及び第２通信制御部に送信する。この応答要求信号に応答して、第１通信制御部は第１操作部の操作状態に対応した返答信号を接続制御部に送信するが、第２通信制御部は応答しない。
【０００５】
第２に、接続制御部は、第２通信制御部からの応答を促すため、第２識別情報を含む応答要求信号を、通信バスを介して第１通信制御部及び第２通信制御部に送信する。この応答要求信号に応答して、第２通信制御部は第２操作部の操作状態に対応した返答信号を接続制御部に送信するが、第１通信制御部は応答しない。
【０００６】
この第１の動作及び第２の動作は、順次繰り返される。接続制御部は、第１通信制御部及び第２通信制御部からの返答信号に応じて、第１加熱調理器及び第２加熱調理器をそれぞれ制御する。
【先行技術文献】
【特許文献】
【０００７】
【特許文献１】特開２０１２−１１２５７６号公報
【発明の概要】
【発明が解決しようとする課題】
【０００８】
特許文献１に記載の加熱調理装置において、第１識別情報及び第２識別情報が、第１通信制御部及び第２通信制御部に正しく保持されている場合には、上記の制御は正しく行われることになる。しかしながら、静電気、ノイズ等の影響により、第１識別情報及び第２識別情報に誤りが混入する場合がある。例えば、第２通信制御部に保持されている第２識別情報が、第１識別情報と同じものに書き換えられてしまう場合がある。
【０００９】
第２通信制御部に保持されている第２識別情報が第１識別情報と同じものに書き換えられてしまった場合、上記のボーリング方式の第１の動作において、第１通信制御部からのみならず、第２通信制御部からも返答信号が接続制御部に送信されてしまうことになる。その結果、第２操作部に対する操作により、第１加熱調理器が動作してしまう。
【００１０】
本発明は、上記のような従来技術の問題点に鑑みてなされたものである。より具体的には、本発明は、各々の操作部に対応する識別情報に誤りが生じてしまった場合でも、各々の加熱調理器が誤って動作してしまうことを抑制することができる加熱調理装置及びその制御方法を提供するものである。
【課題を解決するための手段】
【００１１】
本発明の一態様に係る加熱調理装置は、第１加熱調理器と、第２加熱調理器と、第１操作部と、第２操作部と、接続制御部とを備える。第１操作部は、第１加熱調理器に対応している。第１操作部は、第１通信制御部を有する。第２操作部は、第２加熱調理器に対応している。第２操作部は、第２通信制御部を有する。接続制御部は、第１通信制御部及び第２通信制御部との通信を行う。接続制御部から第１通信制御部の応答を促す第１応答要求信号が送信され、第１応答要求信号に応答して第１通信制御部及び第２通信制御部の各々から第１返答信号が送信された場合に、第１通信制御部は、第２通信制御部の動作を制限する。本発明の一態様に係る加熱調理装置によると、各々の操作部に対応する識別情報に誤りが生じてしまった場合でも、各々の加熱調理器が誤って動作してしまうことを抑制することができる。
【００１２】
上記の加熱調理装置において、第１通信制御部は、第１応答要求信号の後に接続制御部から送信され、かつ第１通信制御部の応答を促す第２応答要求信号に応答して第２通信制御部から送信される第２返答信号を無効にする信号を送信することにより、第２通信制御部の動作を制限してもよい。
【００１３】
上記の加熱調理装置において、第２通信制御部からの第１返答信号は、制御ビット列とチェックビット列とを含んでいてもよい。チェックビット列は、制御ビット列の誤り検出を行うためのビット列である。第１通信制御部は、チェックビット列を無効にするビット列を送信することにより、第２通信制御部からの第１返答信号を制限してもよい。この場合には、各々の操作部に対応する識別情報に誤りが生じてしまった場合でも、各々の加熱調理器が誤って動作してしまうことをさらに抑制することができる。
【００１４】
上記の加熱調理装置において、第１通信制御部は、第２通信制御部からの第１返答信号が第１加熱調理器の動作を停止する又は第１加熱調理器の出力を減少させる信号であるときには、第２通信制御部の動作を許容してもよい。第１通信制御部は、第２通信制御部からの第１返答信号が第１加熱調理器の動作を開始する又は第１加熱調理器の出力を増加させる信号であるときは、第２通信制御部の動作を制限してもよい。この場合には、各々の操作部に対応する識別情報に誤りが生じたことによる影響を低減しながら、加熱調理装置の動作を継続させることができる。
【００１５】
本発明の一態様に係る制御方法は、第１加熱調理器と、第２加熱調理器と、第１加熱調理器に対応し、かつ第１通信制御部を有する第１操作部と、第２加熱調理器に対応し、かつ第２通信制御部を有する第２操作部と、第１通信制御部及び第２通信制御部との通信を行う接続制御部とを備える加熱調理装置の制御方法である。本発明の一態様に係る制御方法は、接続制御部から第１通信制御部の応答を促す第１応答要求信号を送信する工程と、第１応答要求信号に応答して第１通信制御部及び第２通信制御部から第１返答信号が送信されるかを検知する工程と、第２通信制御部からの第１返答信号の送信が検知された場合に、第１通信制御部が第２通信制御部の動作を制限する工程とを備える。本発明の一態様に係る加熱調理装置の制御方法によると、各々の操作部に対応する識別情報に誤りが生じてしまった場合でも、各々の加熱調理器が誤って動作してしまうことを抑制することができる。
【発明の効果】
【００１６】
本発明の一態様に係る加熱調理装置及び加熱調理装置の制御方法によると、各々の操作部に対応する識別情報に誤りが生じた場合であっても、各々の加熱調理器が誤って動作してしまうことを抑制することができる。
【図面の簡単な説明】
【００１７】
【図１】実施形態に係る加熱調理装置の斜視図である。
【図２】実施形態に係る加熱調理装置の機能ブロック図である。
【図３】実施形態に係る加熱調理装置の通常動作を示すタイミングチャートである。
【図４】実施形態に係る加熱調理装置の制御方法を示すフローチャートである。
【図５】実施形態に係る加熱調理装置の制御方法を示すタイミングチャートである。
【発明を実施するための形態】
【００１８】
本発明の実施形態を、図面を参照して説明する。以下の図面においては、同一又は相当する部分に同一の符号を付し、重複する説明は繰り返さないものとする。
【００１９】
（実施形態に係る加熱調理装置の構成）
以下に、実施形態に係る加熱調理装置の構成を、図１及び２を参照して説明する。
【００２０】
図１に示すように、実施形態に係る加熱調理装置は、第１加熱調理器１と、第２加熱調理器２とを有している。実施形態に係る加熱調理装置は、第３加熱調理器３をさらに有していてもよい。第１加熱調理器１、第２加熱調理器２及び第３加熱調理器３は、例えばガスコンロである。なお、第１加熱調理器１、第２加熱調理器２及び第３加熱調理器３は、これに限られるものではない。第１加熱調理器１、第２加熱調理器２及び第３加熱調理器３は、電磁調理器（ＩＨクッキングヒータ）であってもよい。
【００２１】
第１加熱調理器１は、例えば、実施形態に係る加熱調理装置を使用するユーザ側からみて、左側に配置されている。第２加熱調理器２は、例えば、実施形態に係る加熱調理装置を使用するユーザ側からみて、中央に配置されている。第３加熱調理器３は、例えば、実施形態に係る加熱調理装置のユーザ側からみて、右側に配置されている。なお、第１加熱調理器１、第２加熱調理器２及び第３加熱調理器３の配置は、これに限られるものではない。
【００２２】
図２に示すように、実施形態に係る加熱調理器装置は、第１操作部４と、第２操作部５と、バーナコントロール基板７と、通信バス８とを有している。実施形態に係る加熱調理装置は、第３操作部６をさらに有していてもよい。第１操作部４は、第１加熱調理器１に対応している。第２操作部５は、第２加熱調理器２に対応している。第３操作部６は、第３加熱調理器３に対応している。第１操作部４（第２操作部５、第３操作部６）が第１加熱調理器１（第２加熱調理器２、第３加熱調理器３）に対応しているとは、実施形態に係る加熱調理装置の出荷時点において、第１操作部４（第２操作部５、第３操作部６）によって第１加熱調理器１（第２加熱調理器２、第３加熱調理器３）が操作可能になっている状態をいう。
【００２３】
第１操作部４は、第１通信制御部４１を有している。第２操作部５は、第２通信制御部５１を有している。第３操作部６は、第３通信制御部６１を有している。第１通信制御部４１、第２通信制御部５１及び第３通信制御部６１は、例えばマイクロコントローラにより構成されている。
【００２４】
第１操作部４、第２操作部５及び第３操作部６は、例えば第１通信制御部４１、第２通信制御部５１及び第３通信制御部６１を構成するマイクロコントローラに搭載されているフラッシュメモリ、ＥＥＰＲＯＭ（Electrically  Erasable  Programmable  Read-Only  Memory）等のメモリ素子に第１加熱調理器１に対応する第１識別情報、第２加熱調理器２に対応する第２識別情報及び第３加熱調理器３に対応する第３識別情報をそれぞれ保持させることにより、第１加熱調理器１、第２加熱調理器２及び第３加熱調理器３にそれぞれ対応付けられている。なお、これらの識別情報は、例えば、各通信制御装置が通信バス８を構成するハーネスとの接続状態を検知することにより、各メモリ素子に保持される。
【００２５】
第１操作部４は、第１入力部４２を有している。第２操作部５は、第２入力部５２を有している。第３操作部６は、第３入力部６２を有している。第１入力部４２、第２入力部５２及び第３入力部６２は、例えばつまみ、ボタン、スイッチ等である。なお、第１入力部４２、第２入力部５２及び第３入力部６２は、例えばタッチパネル等であってもよい。第１入力部４２、第２入力部５２及び第３入力部６２により、第１加熱調理器１、第２加熱調理器２及び第３加熱調理器３のオン・オフ、出力の増減等に関する操作が行われる。
【００２６】
バーナコントロール基板７は、接続制御部７１と、加熱調理器制御部７２とを有している。接続制御部７１及び加熱調理器制御部７２は、例えばマイクロコントローラにより構成されている。接続制御部７１及び加熱調理器制御部７２とは、１つのマイクロコントローラにより構成されていてもよい。
【００２７】
通信バス８は、第１通信制御部４１、第２通信制御部５１、第３通信制御部６１及び接続制御部７１を、相互に接続している。通信バス８は、例えばハーネスにより構成されている。接続制御部７１は、通信バス８を介して、第１通信制御部４１、第２通信制御部５１及び第３通信制御部６１との通信を行う。接続制御部７１と、第１通信制御部４１、第２通信制御部５１及び第３通信制御部６１との通信は、例えばＬＩＮ（Local  Interconnect  Network）のプロトコルにしたがって行われる。なお、接続制御部７１と、第１通信制御部４１、第２通信制御部５１及び第３通信制御部６１との通信プロトコルは、これに限られるものではない。
【００２８】
（実施形態に係る加熱調理装置の動作）
以下に、実施形態に係る加熱調理器の通常動作を、図３を参照して説明する。
【００２９】
図３に示すように、接続制御部７１は、通信バス８を介して、第１通信制御部４１、第２通信制御部５１及び第３通信制御部６１に対して、応答要求信号ＲＥＱ１、応答要求信号ＲＥＱ２、応答要求信号ＲＥＱ３及び応答要求信号ＲＥＱ４を送信する。
【００３０】
応答要求信号ＲＥＱ１及び応答要求信号ＲＥＱ４は、第１通信制御部４１に応答を促す信号である。応答要求信号ＲＥＱ１及び応答要求信号ＲＥＱ４は、第１識別情報に対応するビット列を含んでいる。応答要求信号ＲＥＱ２は、第２通信制御部５１に応答を促す信号である。応答要求信号ＲＥＱ２は、第２識別情報に対応するビット列を含んでいる。応答要求信号ＲＥＱ３は、第３通信制御部６１に応答を促す信号である。応答要求信号ＲＥＱ３は、第３識別情報に対応するビット列を含んでいる。
【００３１】
応答要求信号ＲＥＱ２は、応答要求信号ＲＥＱ１の送信後に、所定の時間間隔を置いて送信される。応答要求信号ＲＥＱ３は、応答要求信号ＲＥＱ２の送信後に、所定の時間間隔を置いて送信される。応答要求信号ＲＥＱ４は、応答要求信号ＲＥＱ３の送信後に、所定の時間間隔を置いて送信される。
【００３２】
応答要求信号ＲＥＱ４の送信後には、図示していないが、第２通信制御部５１に応答を促す応答要求信号が送信され、当該応答要求信号の送信後には、第３通信制御部６１に応答を促す応答要求信号が送信される。以後、同様のシーケンスにより、応答要求信号の送信が繰り返される。
【００３３】
応答要求信号を受信した第１通信制御部４１、第２通信制御部５１及び第３通信制御部６１は、メモリ素子に格納されている識別情報と、応答要求信号に含まれている識別情報とを対比する。第１通信制御部４１、第２通信制御部５１及び第３通信制御部６１は、この対比の結果、メモリ素子に格納されている識別情報と応答要求信号に含まれている識別情報とが一致している場合、返答信号を、通信バス８を介して送信する。
【００３４】
より具体的には、応答要求信号ＲＥＱ１及び応答要求信号ＲＥＱ４を受信した場合、第１通信制御部４１は返答信号ＲＥＳ１を送信するが、第２通信制御部５１及び第３通信制御部６１は返答を行わない。応答要求信号ＲＥＱ２を受信した場合、第２通信制御部５１は返答信号ＲＥＳ２を送信するが、第１通信制御部４１及び第３通信制御部６１は返答を行わない。応答要求信号ＲＥＱ３を受信した場合、第３通信制御部６１は返答信号ＲＥＳ３を送信するが、第１通信制御部４１及び第２通信制御部５１は返答を行わない。
【００３５】
各々の返答信号は、識別ビット列と、制御ビット列と、チェックビット列とを含んでいる。識別ビット列は、返答信号を送信する各送信制御部が保持している識別情報に対応している。制御ビット列は、応答要求信号を受信した時点における各入力部の操作状態に対応している。チェックビット列は、制御ビット列の誤り検出を行うビット列である。識別ビット列は、例えば返答信号の先頭に配置され、チェックビット列は、返答信号の末尾に配置される。
【００３６】
接続制御部７１が受信した返答信号ＲＥＳ１、返答信号ＲＥＳ２及び返答信号ＲＥＳ３の識別ビット列及び制御ビット列に基づいて、加熱調理器制御部７２は、各加熱調理器の制御を行う。なお、接続制御部７１が受信した返答信号ＲＥＳ１、返答信号ＲＥＳ２及び返答信号ＲＥＳ３のチェックビット列が不正である場合、加熱調理器制御部７２は、各加熱調理器の制御を行わない。
【００３７】
（実施形態に係る加熱調理装置の制御方法）
以下に、実施形態に係る加熱調理装置の制御方法を、図４及び５を参照して説明する。
【００３８】
図４に示すように、実施形態に係る加熱調理装置の制御方法は、第１工程Ｓ１と、第２工程Ｓ２と、第３工程Ｓ３とを有している。第１工程Ｓ１において、接続制御部７１は、通信バス８を介して、各通信制御部に対して、応答要求信号を送信する。この例においては、応答要求信号ＲＥＱ１が送信されるものとする。
【００３９】
第２工程Ｓ２において、各通信制御部は、第１に、応答要求信号に応答して、返送信号を、通信バス８を介して接続制御部７１に送信する。この例では、応答要求信号ＲＥＱ１に応答して、第１通信制御部４１が、返答信号ＲＥＳ１を、通信バス８を介して接続制御部７１に送信する。この例では、第２通信制御部５１のメモリ素子に保持されている第２識別情報が静電気やノイズの影響により第１識別情報と書き換わってしまっているものとする。そのため、第２通信制御部５１からも、返答信号ＲＥＳ１が、通信バス８を介して送信される。
【００４０】
第２工程Ｓ２においては、返答信号を送信した通信制御部は、第２に、他の通信制御部から通信バス８を介して送信される返答信号をモニタリングする。この例では、第１通信制御部４１は、第２通信制御部５１及び第３通信制御部６１からも返答信号ＲＥＳ１が送信されていないかをモニタリングする。
【００４１】
このモニタリングは、第１通信制御部４１が送信した返答信号ＲＥＳ１を構成するビット列と、通信バス８上において検知されたビット列とを比較することにより行われる。第１通信制御部４１が送信した返答信号ＲＥＳ１と第２通信制御部５１が送信した返答信号ＲＥＳ１との間で異なるビットがあり、かつ当該ビットに関して、第１通信制御部４１が送信した返答信号ＲＥＳ１がレセッシブな値（例えばハイ値）であり、第２通信制御部５１が送信した返答信号ＲＥＳ１がドミナントな値（例えばロー値）である場合には、当該ビットの値は、第２通信制御部５１が送信した返答信号ＲＥＳ１の値になる。
【００４２】
そのため、第１通信制御部４１が送信した返答信号ＲＥＳ１を構成するビット列と、通信バス８上において検知されたビット列との間に相違があれば、第１通信制御部４１は、第２通信制御部５１からも返答信号ＲＥＳ１が送信されていることを検知できる。なお、この検知は、返答信号のうち、制御ビットに関して行ってもよい。
【００４３】
第３工程Ｓ３においては、第２工程Ｓ２で通信制御部が他の通信制御部からも返答が送信されていることを検知した場合、当該通信制御部は、当該外の通信制御部の動作を制限する。この例では、第１通信制御部４１は、第２通信制御部５１の動作を制限する。
【００４４】
第１通信制御部４１による第２通信制御部５１の動作の制限は、図５に示すように、例えば、接続制御部７１から送信された応答要求信号ＲＥＱ４に応答して第２通信制御部５１から送信される返答信号ＲＥＳ１を無効にする信号を、第１通信制御部４１から通信バス８を介して送信することにより行われる。この無効にする信号は、例えば、全てドミナントな値（例えばロー値）により構成されるビット列である。
【００４５】
第１通信制御部４１による第２通信制御部５１の動作の制限は、応答要求信号ＲＥＱ１に応答して第２通信制御部５１から送信される返答信号ＲＥＳ１のチェックビット列に同期して、第１通信制御部４１が当該チェックビット列を無効にするビット列を送信することによって行ってもよい。この無効にする信号は、例えば、全てドミナントな値（例えばロー値）により構成されるビット列である。
【００４６】
第１通信制御部４１による第２通信制御部５１の動作の制限は、第２通信制御部５１から送信される返答信号ＲＥＳ１が第１加熱調理器１の動作を開始させるものである場合及び第１加熱調理器１の出力を増加させるものである場合にのみ行ってもよい。すなわち、第１通信制御部４１は、第２通信制御部５１から送信される返答信号ＲＥＳ１が第１加熱調理器１の動作を停止させるものである場合及び第１加熱調理器１の出力を低下させるものである場合には、第２通信制御部５１の動作を許容してもよい。
【００４７】
なお、第３工程Ｓ３において、第１通信制御部４１が第２通信制御部５１の動作を制限する場合には、第１通信制御部４１は、自らの動作も停止するように構成されていることが好ましい。また、第３工程Ｓ３において、第２工程Ｓ２で他の通信制御部からの返答信号の送信が検知されなかった場合、上記の通常動作を継続する。
【００４８】
実施形態に係る加熱調理装置の制御方法は、第４工程Ｓ４をさらに有していてもよい。第４工程Ｓ４は、第２工程Ｓ２で通信制御部が他の通信制御部からも返答が送信されていることを検知した場合に行われる。第４工程Ｓ４は、全ての加熱調理器が停止状態となっている際に行われることが好ましい。
【００４９】
第４工程Ｓ４においては、各通信制御部が通信バス８を構成するハーネスとの接続状態を再度検知し、その検知結果を各通信制御部のメモリ素子に識別情報として格納することにより行われる。第４工程Ｓ４が行われた後には、実施形態に係る加熱調理装置は、上記の通常動作が可能な状態に復帰する。そのため、実施形態に係る加熱調理装置の制御方法が第４工程Ｓ４を有している場合には、各々の操作部に対応する識別情報に誤りが生じてしまった場合であっても、加熱調理装置を通常動作が可能な状態に復帰させることができる。
【００５０】
（実施形態に係る加熱調理装置の効果）
以下に、実施形態に係る加熱調理装置の効果を説明する。
【００５１】
ノイズや静電気等の影響により、例えば第２識別情報が第１識別情報に書き換わってしまった場合、特段の対策が行われていないと、応答要求信号ＲＥＱ１に応じて、第２通信制御部５１からも返答信号ＲＥＳ１が送信されてしまう。その結果、第２操作部５における第２入力部５２における操作状態が、第１加熱調理器１の動作に反映されてしまう。例えば、第２加熱調理器２を動作させる意図でユーザが第２入力部５２を操作した際に、ユーザの意図に反して、第１加熱調理器１が操作されてしまうことになる。
【００５２】
しかしながら、実施形態に係る加熱調理装置においては、応答要求信号ＲＥＱ１に応答して第２通信制御部５１から返答信号ＲＥＳ１が送信されてしまったとしても、第１通信制御部４１が第２通信制御部５１から送信された返答信号ＲＥＳ１を検知して、第２通信制御部５１の動作を制限するように構成されている。そのため、第２操作部５における第２入力部５２における操作状態が、第１加熱調理器１の動作に反映されてしまうことを抑制することができる。すなわち、実施形態に係る加熱調理装置によると、各々の操作部に対応する識別情報に誤りが生じてしまった場合であっても、各々の加熱調理器が誤って動作してしまうことを抑制することができる。
【００５３】
第１通信制御部４１による第２通信制御部５１の動作の制限が、応答要求信号ＲＥＱ１に応答して第２通信制御部５１から送信される返答信号ＲＥＳ１のチェックビット列に同期して、第１通信制御部４１が当該チェックビット列を無効にするビット列を送信することによって行われる場合、識別情報の誤りが検知されたサイクル内で識別情報の誤りに対する対処が行われるため、各々の加熱調理器が誤って動作してしまうことをさらに抑制することができる。
【００５４】
第１通信制御部４１による第２通信制御部５１の動作の制限が、第２通信制御部５１から送信される返答信号ＲＥＳ１が第１加熱調理器１の動作を開始させる又は第１加熱調理器１の出力を増加させるものであるときにのみ行われる場合には、各々の操作部に対応する識別情報に誤りが生じたことによる影響を低減しながら、加熱調理装置の動作を継続することができる。
【００５５】
今回開示された実施形態は全ての点で例示であって、制限的なものではないと考えられるべきである。本発明の範囲は上記した実施の形態ではなく特許請求の範囲によって示され、特許請求の範囲と均等の意味、及び範囲内での全ての変更が含まれることが意図される。
【産業上の利用可能性】
【００５６】
上記の実施形態は、加熱調理装置及びその制御方法に特に有利に適用される。
【符号の説明】
【００５７】
１  第１加熱調理器、２  第２加熱調理器、３  第３加熱調理器、４  第１操作部、５  第２操作部、６  第３操作部、７  バーナコントロール基板、８  通信バス、４１  第１通信制御部、４２  第１入力部、５１  第２通信制御部、５２  第２入力部、６１  第３通信制御部、６２  第３入力部、７１  接続制御部、７２  加熱調理器制御部、ＲＥＱ１，ＲＥＱ２，ＲＥＱ３，ＲＥＱ４  応答要求信号、ＲＥＳ１，ＲＥＳ２，ＲＥＳ３  返答信号、Ｓ１  第１工程、Ｓ２  第２工程、Ｓ３  第３工程、Ｓ４  第４工程。
【図１】
2019056540.tif 000003
【図２】
2019056540.tif 000004
【図３】
2019056540.tif 000005
【図４】
2019056540.tif 000006
【図５】
2019056540.tif 000007